(57)【要約】【課題】電気機器毎に消費電力を監視することができ、電気機器毎に消費電力を管理することができる監視システムの提供。【解決手段】情報送信機２は、接続端子２０によって電気機器４と接続する。測定部２３は、接続端子２０と接続されており、電気機器４の消費電力を測定する。送信部２５は、測定された消費電力に係る電力情報を電力監視装置３に送信する。電力監視装置３の受信部３３は、電力情報を受信する。撮像部３４は電気機器４の画像を撮像する。表示部３７は、撮像部３４によって撮像された画像と受信部３３が受信した電力情報に係る消費電力とを表示する。【選択図】図４
2012039185.tif 000002
【特許請求の範囲】
【請求項１】
電気機器と着脱可能に接続され、該電気機器の消費電力を測定し、測定した消費電力に係る電力情報を送信する情報送信機と、
該情報送信機が送信した電力情報を受信する受信部を有する電力監視装置と
を備える監視システムにおいて、
前記電力監視装置は、
前記電気機器を撮像する撮像部と、
前記受信部が受信した電力情報に係る消費電力及び前記撮像部が撮像した画像を表示する表示部と
を有すること
を特徴とする監視システム。
【請求項２】
前記電力監視装置は、更に、
前記情報送信機の位置を検出する位置検出部と、
前記撮像部を回動させる回動部と、
前記位置検出部が検出した位置に基づいて、前記撮像部の撮像方向が前記電気機器に向くように前記回動部を制御する制御部と
を有すること
を特徴とする請求項１に記載の監視システム。
【請求項３】
前記情報送信機を複数備え、
前記電力監視装置は、更に、
前記受信部が複数の前記情報送信機から電力情報を受信した場合に音を発生する音発生部を有すること
を特徴とする請求項１又は請求項２に記載の監視システム。
【請求項４】
前記位置検出部は、検出した位置に基づいて前記電力監視装置から前記情報送信機までの距離を算出し、
前記電力監視装置は、更に、
前記受信部が電力情報を受信した場合に、前記位置検出部が算出した距離に応じた音量で音を発生する音発生部を有すること
を特徴とする請求項２に記載の監視システム。
【請求項５】
前記電力監視装置は、更に、前記情報送信機を識別するための識別符号に対応づけて文字データを予め記憶する記憶部を有し、
前記情報送信機は、前記識別符号を送信し、
前記受信部は、前記情報送信機が送信した識別符号を受信し、
前記表示部は、前記受信部が受信した識別符号に対応する文字データを表示するように構成されていること
を特徴とする請求項１から請求項４のいずれか１つに記載の監視システム。
【発明の詳細な説明】
【技術分野】
【０００１】
本発明は、電気機器の消費電力を監視する監視システムに関する。
【背景技術】
【０００２】
住宅又はオフィス等で用いられる電気機器が消費する電力の大部分は化石燃料を用いて発電されている。化石燃料の使用によって二酸化炭素が排出される。電気機器の使用は地球温暖化の一因となっている。
また、様々な電気機器が住宅又はオフィス等に普及しており、電力消費量が増大し、電気代が増加する傾向にある。
【０００３】
地球温暖化の抑制及び電気代の節約のため、電気機器の使用量を低減する必要がある。電気機器の使用量を低減するためには、電気機器の消費電力を監視し、消費電力が比較的大きい電気機器を認識して消費電力を管理する必要がある。特許文献１には、宅内の分岐電路毎の消費電力を監視することができる監視システムが開示されている。
【０００４】
宅内では、分電盤内の分岐ブレーカを介して主幹電路が複数の分岐電路に分岐されている。特許文献１に記載の監視システムでは、分岐電路毎に消費電力が計測され、計測された消費電力が宅内ネットワークを介して端末装置に通知され、端末装置に消費電力が表示される。
【先行技術文献】
【特許文献】
【０００５】
【特許文献１】特開２００８−８９４３３号公報
【発明の概要】
【発明が解決しようとする課題】
【０００６】
しかしながら、特許文献１に記載の電力監視システムでは、分岐路毎にしか消費電力を監視することができない。即ち、各部屋に設置される電気機器又は各コンセントに接続された電気機器の消費電力しか監視することができない。従って、例えば、分岐接続することによって一のコンセントで複数の電気機器を使用した場合、コンセントに接続された電気機器毎に消費電力を監視することができず、電気機器毎に消費電力を管理することができない。
【０００７】
本発明は斯かる事情に鑑みてなされたものであり、その目的とするところは、電気機器毎に消費電力を監視することができ、電気機器毎に消費電力を管理することができる監視システムを提供することにある。
【課題を解決するための手段】
【０００８】
本発明に係る監視システムは、電気機器と着脱可能に接続され、該電気機器の消費電力を測定し、測定した消費電力に係る電力情報を送信する情報送信機と、該情報送信機が送信した電力情報を受信する受信部を有する電力監視装置とを備える監視システムにおいて、前記電力監視装置は、前記電気機器を撮像する撮像部と、前記受信部が受信した電力情報に係る消費電力及び前記撮像部が撮像した画像を表示する表示部とを有することを特徴とする。
【０００９】
本発明にあっては、情報送信機は電気機器と着脱可能に接続し、接続した電気機器の消費電力を測定し、測定した消費電力に係る電力情報を電力監視装置に送信する。受信部は電気機器の消費電力に係る電力情報を受信する。撮像部は情報送信機に接続している電気機器を撮像する。表示部は、受信部が受信した電力情報に係る消費電力と撮像部が撮像した画像とを表示する。
情報送信機が電気機器に個別に接続され、電気機器の消費電力が当該電気機器の画像と共に表示されるので、表示部に表示されている消費電力を消費している電気機器が明確になり、電気機器毎に消費電力が正確に監視され、電気機器毎の消費電力の管理が可能となる。
【００１０】
本発明に係る監視システムは、前記電力監視装置は、更に、前記情報送信機の位置を検出する位置検出部と、前記撮像部を回動させる回動部と、前記位置検出部が検出した位置に基づいて、前記撮像部の撮像方向が前記電気機器に向くように前記回動部を制御する制御部とを有することを特徴とする。
【００１１】
本発明にあっては、位置検出部は情報送信機の位置を検出する。制御部は、回動部に指示することにより、位置検出部が検出した位置に基づいて、撮像方向が電気機器に向くように撮像部を回動させる。これにより、撮像部は情報送信機に接続されている電気機器を確実に撮像する。
【００１２】
本発明に係る監視システムは、前記情報送信機を複数備え、前記電力監視装置は、更に、前記受信部が複数の前記情報送信機から電力情報を受信した場合に音を発生する音発生部を有することを特徴とする。
【００１３】
本発明にあっては、受信部が複数の情報送信機から電力情報を受信した場合に音発生部が音を発生することにより、複数の情報送信機から電力情報が受信されていることをユーザに知らせる。
【００１４】
本発明に係る監視システムは、前記位置検出部は、検出した位置に基づいて前記電力監視装置から前記情報送信機までの距離を算出し、前記電力監視装置は、更に、前記受信部が電力情報を受信した場合に、前記位置検出部が算出した距離に応じた音量で音を発生する音発生部を有することを特徴とする。
【００１５】
本発明にあっては、位置検出部は、検出した位置に基づいて、電力監視装置から情報送信機までの距離を算出する。音発生部は、受信部が電力情報を受信した際に、位置検出部が算出した距離に応じた音量で音を発生する。従って、音量によって電力監視装置から電気機器までの距離が直感的にユーザに理解され、ユーザによる電気機器の探索が容易になる。
【００１６】
本発明に係る監視システムは、前記電力監視装置は、更に、前記情報送信機を識別するための識別符号に対応づけて文字データを予め記憶する記憶部を有し、前記情報送信機は、前記識別符号を送信し、前記受信部は、前記情報送信機が送信した識別符号を受信し、前記表示部は、前記受信部が受信した識別符号に対応する文字データを表示するように構成されていることを特徴とする。
【００１７】
本発明にあっては、記憶部は、情報送信機が送信する識別情報に対応づけて文字データを予め記憶している。情報送信機が電力情報と識別情報とを送信した場合、受信部は電力情報と識別情報とを受信する。表示部は、撮像部が撮像した電気機器の画像及び電力情報に係る消費電力に加えて、識別情報に対応する文字データを表示する。これにより、表示部に表示されている消費電力を消費している電気機器がより明確になり、電気機器の消費電力の管理がより容易になる。
【発明の効果】
【００１８】
本発明によれば、情報送信機が電気機器に個別に接続され、電気機器の消費電力が当該電気機器の画像とともに表示されるので、消費電力を消費している電気機器が明確になり、電気機器毎に消費電力を正確に監視することができ、電気機器毎に消費電力を管理することができる。
【図面の簡単な説明】
【００１９】
【図１】本発明の実施の形態１に係る監視システムの構成を示す概念図である。
【図２】情報送信機の斜視図である。
【図３】電力監視装置の斜視図である。
【図４】監視システムの構成を示すブロック図である。
【図５】情報送信機の制御部が実行する動作手順を示すフローチャートである。
【図６】電力監視装置の制御部が実行する動作手順を示すフローチャートである。
【図７】複数の電力情報及び識別符号を受信した場合における電力監視装置の状態図である。
【図８】図７に示す電力監視装置の表示部が表示する画面の例示図である。
【図９】表示部に表示される画面の例示図である。
【図１０】実施の形態２に係る電力監視装置の制御部が実行する動作手順を示すフローチャートである。
【発明を実施するための形態】
【００２０】
以下、本発明をその実施の形態を示す図面に基づいて詳述する。
（実施の形態１）
図１は、本発明の実施の形態１に係る監視システムの構成を示す概念図である。監視システム１は情報送信機２と電力監視装置３とを備えている。情報送信機２は、電気機器４及びコンセント５夫々に着脱可能に接続された状態で使用され、電気機器４の消費電力を測定し、測定した消費電力に係る電力情報と電力監視装置３が情報送信機２を識別するための識別符号とを電力監視装置３に送信する。電力監視装置３は、ユーザによる移動を可能に構成されている。また、電力監視装置３は、情報送信機２から電力情報及び識別符号を受信する。
【００２１】
なお、図１には電気機器４としてエアーコンディショナー（以下、エアコンと記載する。）が示されているが、電気機器４はエアコンに限定されない。電気機器４は、冷蔵庫又はテレビジョン（以下、テレビと記載する。）等であってもよい。
【００２２】
図２は情報送信機２の斜視図である。情報送信機２は直方体状をなし、一面に電気機器４のプラグと接続する接続端子２０が設けられており、当該一面の反対の面にコンセント５と接続する接続端子２１が設けられている。
【００２３】
図３は電力監視装置３の斜視図である。電力監視装置３は、撮像部本体３０、回動部３１及び三脚６によって構成される。撮像部本体３０は、直方体状をなし、情報送信機２と情報送信機２に接続している電気機器４とを撮像する。回動部３１は、撮像部本体３０を回動可能に支持しており、撮像部本体３０を回動させる。回動部３１は、図３における上下方向及び左右方向に撮像部本体３０を回動させることができる。三脚６は回動部３１を支持している。
【００２４】
図４は監視システム１の構成を示すブロック図である。情報送信機２は、接続端子２０及び２１に加えて、制御部２２、測定部２３、記憶部２４、及び送信部２５を有している。接続端子２０及び２１は電力線で接続され、接続端子２０及び２１の接続ノードは測定部２３に接続されている。コンセント５から出力される電力は、接続端子２１及び２０を介して、電気機器４に供給される。制御部２２は、測定部２３、記憶部２４、及び送信部２５に接続されている。
【００２５】
制御部２２は、ＣＰＵからなり、内蔵ＲＯＭ（図示せず）に記憶してある制御プログラムを読み出して実行することによって、測定部２３、記憶部２４、及び送信部２５の動作を制御している。
【００２６】
測定部２３は、接続端子２０を介して接続される電気機器４が消費している電力を測定する。
記憶部２４は、測定部２３が測定した消費電力を記憶し、電力監視装置３が情報送信機２を識別するための識別符号を予め記憶している。
【００２７】
送信部２５は、制御部２２によって記憶部２４から読み出された消費電力から電力情報を生成し、生成した電力情報と、記憶部２４から読み出された識別符号とを電力監視装置３に送信する。
【００２８】
電力監視装置３は撮像部本体３０と回動部３１とを有している。撮像部本体３０は、制御部３２、受信部３３、撮像部３４、位置検出部３５、記憶部３６、表示部３７、音発生部３８、及び選択受付部３９を有している。制御部３２は、回動部３１、受信部３３、撮像部３４、位置検出部３５、記憶部３６、表示部３７、音発生部３８、及び選択受付部３９に接続されている。
【００２９】
制御部３２は、ＣＰＵからなり、内蔵ＲＯＭ（図示せず）に記憶してある制御プログラムを読み出して実行することによって、回動部３１、受信部３３、撮像部３４、位置検出部３５、記憶部３６、表示部３７、音発生部３８、及び選択受付部３９の動作を制御する。
なお、制御部３２は、特許請求の範囲における制御部に該当する。
【００３０】
受信部３３は、送信部２５から送信された電力情報及び識別符号を受信する。
撮像部３４は、電気機器４と電気機器４に接続されている情報送信機２とを撮像する。
【００３１】
位置検出部３５は、送信部２５及び受信部３３を用いて、電力監視装置３を基準とした情報送信機２の位置を検出する。位置検出部３５は、三辺測量の原理に基づくアルゴリズムによって位置を検出する。受信部３３は少なくとも３つ以上のアンテナを備えており、位置検出部３５は送信部２５が送信した電力情報及び識別符号が各アンテナに到達する時間差を利用して情報送信機２の位置を検出する。
【００３２】
なお、三辺測量の原理を利用した位置を検出する方法は特開２００８−２８８７４５号公報に開示されている。なお、位置検出部３５が情報送信機２の位置を検出するために基づく原理は三辺測量の原理に限定されない。また、位置検出部３５が検出する情報送信機２の位置は、相対位置に限定されず、絶対座標であっても良い。
【００３３】
記憶部３６は、受信部３３が受信する識別符号に対応づけて文字データを予め記憶している。実施の形態１では、文字データは電気機器４の名称としている。文字データは予めユーザによって入力される。
なお、文字データは電気機器４の名称に限定されず、例えば電気機器４の機種名であってもよい。また、記憶部３６は特許請求の範囲における記憶部に該当する。
【００３４】
表示部３７は、撮像部３４が撮像した画像、電力情報に係る消費電力、及び識別符号に対応する文字データを表示する。また、表示部３７は、受信部３３が複数の情報送信機２，２，・・・夫々から電力情報及び識別符号を受信した場合、受信した複数の識別符号夫々に対応する文字データを位置検出部３５が検出した情報送信機２，２，・・・の位置に合わせて表示する。
【００３５】
音発生部３８は、受信部３３が複数の情報送信機２，２，・・・から電力情報及び識別符号を受信した場合に、ユーザが気づくことができる十分な期間にわたって音を発生する。これにより、複数の情報送信機２，２，・・・から電力情報及び識別情報を受信したことをユーザに通知する。
【００３６】
選択受付部３９は、表示部３７が複数の識別符号夫々に対応する文字データを表示した場合に、複数の文字データ中から１つの文字データの選択をユーザから受け付け、選択された文字データに係る情報送信機２の識別符号を制御部３２に通知する。
【００３７】
監視システム１では、情報送信機２は、電気機器４とコンセント５との間に接続され、コンセント５から電気機器４に供給される消費電力を測定するので、電気機器４が既存の電気機器であっても消費電力を測定することができる。このため、既存の電気機器に情報送信機２を接続して監視システム１を構成することができ、監視システム１を安価に構成することができる。
【００３８】
以下、情報送信機２の制御部２２が実行する動作手順を説明する。
図５は情報送信機２の制御部２２が実行する動作手順を示すフローチャートである。制御部２２は、測定部２３に指示して、情報送信機２に接続されている電気機器４の消費電力を測定させる（ステップＳ１）。
【００３９】
制御部２２は、ステップＳ１の後、測定した消費電力を記憶部２４に記憶させる（ステップＳ２）。
【００４０】
制御部２２は、ステップＳ２の後、記憶部２４が記憶している消費電力と識別符号とを読み出し、送信部２５に指示して、消費電力に係る電力情報を生成し、生成した電力情報と記憶部２４に記憶されている識別符号とを電力監視装置３に送信させる（ステップＳ３）。制御部２２は、ステップＳ３の後、制御を終了する。
【００４１】
次に、電力監視装置３の制御部３２が実行する動作手順を説明する。
図６は、電力監視装置３の制御部３２が実行する動作手順を示すフローチャートである。まず、制御部３２は、受信部３３が情報送信機２の送信部２５から電力情報及び識別符号を受信したか否かを判定する（ステップＳ１１）。制御部３２は、受信部３３が電力情報及び識別符号を受信していないと判定した場合（ステップＳ１１：ＮＯ）、ステップＳ１１に戻り、受信部３３が電力情報及び識別符号を受信するまで判定を繰り返す。
【００４２】
制御部３２は、受信部３３が送信部２５から電力情報及び識別符号を受信したと判定した場合（ステップＳ１１：ＹＥＳ）、受信部３３が複数の情報送信機２，２，・・・から電力情報及び識別符号を受信しているか否かを判定する（ステップＳ１２）。
【００４３】
図７は、複数の電力情報及び識別符号を受信した場合における電力監視装置３の状態図である。ここでは、電力監視装置３の受信部３３は３つの情報送信機２，２，２から送信される３つの電力情報及び識別情報を受信している。制御部３２は、図７に示すように、受信部３３が、複数の情報送信機２，２，・・・から電力情報及び識別符号を受信した場合（ステップＳ１２：ＹＥＳ）、音発生部３８に指示して、ユーザが気づくことができる十分な期間にわたって音を発生させる（ステップＳ１３）。
【００４４】
制御部３２は、ステップＳ１３の後、位置検出部３５に指示して、受信部３３に電力情報と識別符号とを送信した複数の情報送信機２，２，・・・の位置を検出させる（ステップＳ１４）。
【００４５】
制御部３２は、ステップＳ１４の後、受信部３３が受信した複数の識別符号に対応する文字データを記憶部３６から読み出し、読み出した文字データを表示部３７に表示する（ステップＳ１５）。表示部３７では、識別符号を送信した複数の情報送信機２，２，・・・の位置に応じて、文字データの表示位置が決められている。
【００４６】
図８は、図７に示す電力監視装置３の表示部３７が表示する画面の例示図である。図３において、撮像部本体３０の撮像方向を前とし、その反対側を後とする。前後方向に直交する方向を左右方向とする。
【００４７】
複数の文字データを表示する場合、表示部３７の上下方向を電力監視装置３の前後方向とし、表示部３７の左右方向を電力監視装置３の左右方向として、図８に示すように、３つの情報送信機２，２，２の位置に合わせて３つの文字データが表示部３７に表示される。
【００４８】
図８では、エアコン、テレビ、冷蔵庫という文字データが表示されている。表示部３７では、「エアコン」が左斜め上に、「テレビ」が右に、「冷蔵庫」が右下に表示されている。この場合、エアコンは電力監視装置３の前方斜め左方向にあり、テレビは右方向、冷蔵庫は後方斜め右方向に位置していることを示している。
【００４９】
制御部３２は、ステップＳ１５の後、選択受付部３９に指示して、表示部３７が表示した複数の文字データ中から１つの文字データの選択をユーザから受け付けさせ、選択された文字データに係る情報送信機２の識別符号を制御部３２に通知させる（ステップＳ１６）。選択受付部３９が選択を受け付ける方法として、表示部３７をタッチパネルで構成し、表示部３７に表示された複数の文字データ中から１つの文字データをユーザがタッチすることによって選択を受け付ける方法がある。
【００５０】
制御部３２は、複数の情報送信機２，２，・・・から電力情報及び識別符号を受信していないと判定した場合（ステップＳ１２：ＮＯ）、即ち１つの情報送信機２から電力情報及び識別符号を受信したと判定した場合、位置検出部３５に指示して、受信部３３に電力情報及び識別情報を送信した情報送信機２の位置を検出させる（ステップＳ１７）。
【００５１】
制御部３２は、ステップＳ１６又はステップＳ１７の後、ステップＳ１６で選択された文字データに係る情報送信機２の位置又はステップＳ１７で検出された情報送信機２の位置に基づいて、撮像方向が情報送信機２に向くように撮像部３４を回動部３１に回動させる（ステップＳ１８）。これにより、撮像部３４は情報送信機２に接続されている電気機器４を確実に撮像することができる。
【００５２】
制御部３２は、ステップＳ１８の後、撮像部３４に指示して、情報送信機２及び情報送信機２に接続されている電気機器４を撮像させる（ステップＳ１９）。この場合、制御部３２は、位置検出部３５が検出した位置に応じて撮像部３４にズーム又は明るさ等を調整させる。
【００５３】
制御部３２は、ステップＳ１９の後、表示部３７に指示して、撮像部３４が撮像した画像、電力情報に係る消費電力、及び文字データを表示させる（ステップＳ２０）。電気機器４の消費電力が電気機器４の画像と共に表示されるので、消費電力を消費している電気機器４が明確になり、電気機器４の消費電力が正確に監視され、電気機器４の消費電力を管理することができる。
【００５４】
また、１つの電気機器４に対して１つの情報送信機２が接続されるため、電気機器４が複数ある場合に、複数の電気機器４，４，・・・の消費電力を各別に監視することができ、複数の電気機器４，４，・・・の消費電力を各別に管理することができる。
【００５５】
図９は表示部３７に表示される画面の例示図である。図９に示すように、表示部３７には、電気機器４であるエアコンの画像と、消費電力量である「５００Ｗ」という数値と、文字データである「エアコン」という名称とが表示されている。これにより、ユーザは画面に表示されているエアコンが５００Ｗの電力を消費していることを理解することができる。
制御部３２は、ステップＳ２０の後、制御を終了する。
【００５６】
なお、ステップＳ１６において選択受付部３９が受け付ける選択に、一定の時間間隔で複数の情報送信機２，２，・・・を表示する表示モードを加えてもよい。この表示モードがユーザに選択された場合、制御部３２は、回動部３１に指示して、一定の時間間隔で撮像部３４を回動させ、撮像部３４に指示して、各情報送信機２について順番に、情報送信機２と情報送信機２に接続されている電気機器４とを撮像させる。各情報送信機２について、制御部３２は、表示部３７に指示して、撮像されている電気機器４の画像と消費電力と文字データとを表示させる。
【００５７】
（実施の形態２）
実施の形態２は、例えば、撮像部３４が撮像できる範囲内に情報送信機２が位置していない場合に、ユーザが、電力監視装置３を移動させながら、情報送信機２に接続されている電気機器４を探索する形態である。
【００５８】
実施の形態２に係る監視システム１の構成は、実施の形態１に係る監視システム１の構成と同じであるが、位置検出部３５、記憶部３６、音発生部３８、及び制御部３２の動作が実施の形態１に係る監視システム１と異なる。
【００５９】
以下、位置検出部３５、記憶部３６、音発生部３８、及び制御部３２の動作を説明し、他の部分の動作は実施の形態１に係る監視システム１を構成する部分と同じであるため、説明を省略する。
【００６０】
位置検出部３５は、情報送信機２の位置を検出することに加えて、検出した位置に基づいて電力監視装置３から情報送信機２までの距離を算出する。
記憶部３６は、受信部３３が受信する識別符号に対応づけて文字データを記憶するのに加えて、位置検出部３５が検出した位置を記憶する。
【００６１】
音発生部３８は、受信部３３が電力情報及び識別符号を受信した場合に位置検出部３５が算出した距離に応じた音量で、ユーザが気付くことができる十分な期間にわたって、音を発生する。音発生部３８が発生する音の音量は、例えば、距離が短い場合に小さく、長い場合に大きくする。
【００６２】
以下、制御部３２が実行する動作手順を説明する。
図１０は、実施の形態２に係る電力監視装置３の制御部３２が実行する動作手順を示すフローチャートである。制御部３２は、まず、受信部３３が情報送信機２の送信部２５から電力情報及び識別符号を受信したか否かを判定する（ステップＳ３１）。制御部３２は、受信部３３が電力情報及び識別符号を受信していないと判定した場合（ステップＳ３１：ＮＯ）、ステップＳ３１に戻り、受信部３３が電力情報及び識別符号を受信するまで判定を繰り返す。
【００６３】
制御部３２は、受信部３３が電力情報及び識別符号を受信したと判定した場合（ステップＳ３１：ＹＥＳ）、位置検出部３５に指示して、受信部３３に電力情報及び識別符号を送信した情報送信機２の位置を検出させる（ステップＳ３２）。
【００６４】
制御部３２は、ステップＳ３２の後、位置検出部３５が検出した位置が、記憶部３６が記憶している位置と同じであるか否かを判定する（ステップＳ３３）。制御部３２は、位置検出部３５が検出した位置が、記憶部３６が記憶している位置と同じである場合（ステップＳ３３：ＹＥＳ）、制御を終了する。位置検出部３５が検出した位置が記憶部３６に記憶している位置と同じである場合、制御部３２は、電力監視装置３の配置がユーザによって決定されたとみなして制御を終了する。
【００６５】
制御部３２は、位置検出部３５が検出した位置が、記憶部３６が記憶している位置と同じでない場合（ステップＳ３３：ＮＯ）、位置検出部３５に指示して、検出した位置に基づいて電力監視装置３から情報送信機２までの距離を算出させ、音発生部３８に指示して、算出された距離に応じた音量で音を発生させる（ステップＳ３４）。位置検出部３５が検出した位置が、記憶部３６に記憶されている位置と同じでない場合、制御部３２は、ユーザが電力監視装置３を移動させているとみなす。
なお、制御部３２は、記憶部３６に位置が記憶されていない場合、ステップＳ３３において、位置検出部３５が検出した位置が記憶部３６に記憶されている位置と同じでないと判定する。
【００６６】
制御部３２は、ステップＳ３４の後、記憶部３６に位置検出部３５が検出した位置を記憶させる（ステップＳ３５）。この場合、制御部３２は、記憶部３６に位置を記憶させる前に、記憶部３６が記憶している位置を記憶部３６に消去させる。
【００６７】
制御部３２は、ステップＳ３５の後、回動部３１に指示し、記憶部３６が記憶している位置に基づいて、撮像方向が情報送信機２に向くように撮像部３４を回動させる（ステップＳ３６）。
【００６８】
制御部３２は、ステップＳ３６の後、撮像部３４に指示して、情報送信機２及び情報送信機２に接続されている電気機器４を撮像させる（ステップＳ３７）。
【００６９】
制御部３２は、ステップＳ３７の後、表示部３７に指示して、撮像部３４が撮像した画像、電力情報に係る消費電力、及び文字データを表示させる（ステップＳ３８）。
【００７０】
制御部３２は、ステップＳ３８の後、ステップＳ３１に戻り、再び、受信部３３が電力情報及び識別符号を受信したか否かを判定する。ステップＳ３４において、音発生部３８が発生する音の音量は位置検出部３５が算出した距離に応じている。従って、ユーザは、音発生部３８が発生する音によって、電力監視装置３から情報送信機２に接続されている電気機器４までの距離を直感的に理解し、電力監視装置３を移動させることによって、電気機器４を容易に探索することができる。
【００７１】
なお、制御部３２は、実施の形態１におけるステップＳ２０（図６参照）又は実施の形態２におけるステップＳ３８（図１０参照）において、表示部３７に、文字データを表示させず、撮像部３４が撮像した画像及び電力情報に係る消費電力を表示させてもよい。
【００７２】
また、電力監視装置３は回動部３１及び三脚６を有せず、ユーザが撮像部本体３０を回動させてもよい。この場合、表示部３７は、位置検出部３５が検出した位置に基づいて、撮像部３４の撮像方向を指示する矢印を表示する。ユーザは、表示部３７における矢印の表示に従って、撮像部本体３０を操作し、撮像部３４の撮像方向を電気機器４に向ける。
【符号の説明】
【００７３】
１  監視システム
２  情報送信機
３  電力監視装置
３１  回動部
３２  制御部
３３  受信部
３４  撮像部
３５  位置検出部
３６  記憶部
３７  表示部
３８  音発生部
４  電気機器
【図１】
2012039185.tif 000003
【図２】
2012039185.tif 000004
【図３】
2012039185.tif 000005
【図４】
2012039185.tif 000006
【図５】
2012039185.tif 000007
【図６】
2012039185.tif 000008
【図７】
2012039185.tif 000009
【図８】
2012039185.tif 000010
【図９】
2012039185.tif 000011
【図１０】
2012039185.tif 000012